(57)【要約】【課題】リアフレームとスタンドの支柱を有効に利用してＬＥＤから発生する熱の放熱効率を高め、ＬＥＤの熱劣化に伴う発光効率の低下や輝度の低下を抑えることができる、サイドエッジライト型の液晶表示装置を提供する。【解決手段】熱伝導性のリアフレーム１の内部に収容した導光板２の前面側に液晶表示パネルを配設し、細長い熱伝導性の配線基板３ａにＬＥＤ３ｂを搭載したＬＥＤバー３を、導光板２の左右の側面とリアフレーム１の左右の側板１ａとの間に配置して、ＬＥＤバー３の配線基板３ａをリアフレーム１の左右の側板１ａの内面に接触させて固定すると共に、スタンド４の左右の熱伝導性の支柱４ａをリアフレーム１の左右両側部分の外面に接触させて固定した、サイドエッジライト型の液晶表示装置とする。ＬＥＤ３ｂから出た熱をリアフレーム１の背板１ｂとスタンド４の支柱４ａの双方に伝導させて放熱させ、放熱効率を向上させる。【選択図】図１
2012155237.tif 000002
【特許請求の範囲】
【請求項１】
熱伝導性のリアフレームの内部に収容した導光板の前面側に液晶表示パネルを配設し、細長い熱伝導性の配線基板に複数個のＬＥＤを搭載したＬＥＤバーを、導光板の左右の側面とリアフレームの左右の側板の内面との間に配置して、ＬＥＤバーの配線基板をリアフレームの左右の側板の内面に接触させて固定すると共に、スタンドの左右の熱伝導性の支柱をリアフレームの左右両側部分の外面に接触させて固定したことを特徴とするサイドエッジライト型の液晶表示装置。
【請求項２】
スタンドの左右の支柱をリアフレームの左右の側板の外面に接触させて固定したことを特徴とする請求項１に記載の液晶表示装置。
【請求項３】
ＬＥＤバーの配線基板とリアフレームの側板とスタンドの支柱をビスで共締め固定したことを特徴とする請求項２に記載の液晶表示装置。
【請求項４】
スタンドの左右の支柱の上端とリアフレームの上端が同じ高さ、もしくは、スタンドの左右の支柱の上端の方がリアフレームの上端よりも少し低い高さとなっていることを特徴とする請求項１ないし請求項３のいずれかに記載の液晶表示装置。
【発明の詳細な説明】
【技術分野】
【０００１】
本発明は、ＬＥＤ（発光ダイオード）を用いたサイドエッジライト型の液晶表示装置に関し、更に詳しくは、ＬＥＤから出る熱を効率良く放熱できるように工夫した液晶表示装置に関する。
【背景技術】
【０００２】
従来のＬＥＤを用いたサイドエッジライト型の一般的な液晶表示装置は、図３（従来のサイドエッジライト型の液晶表示装置を一部破断して示す背面図）に示すように、リアフレーム１に収容した導光板２の左右の側面と、リアフレーム１の左右の側板１ａ，１ａとの間に、ＬＥＤバー３（細長い配線基板３ａに複数個のＬＥＤ３ｂを搭載したもの）を配設し、ＬＥＤ３ｂから発せられた光を導光板２に左右の側面から入射させて導光板２を面発光させ、導光板２の前面側に配設した液晶表示パネル（図３には表れていない）に背後から光を照射するように構成している。そして、ＬＥＤバー３の配線基板３ａをリアフレーム１の左右の側板１ａ，１ａに接触させて固定し、ＬＥＤ３ｂから発生する熱を配線基板３ａを通じてリアフレーム１の左右の側板１ａ，１ａに伝導させ、更に、図４に矢印Ｘで示すようにリアフレーム１の背板１ｂの中間部に向かって伝導させながら放熱させるようにしている。
【０００３】
これに対し、プラズマディスプレイパネルとシャーシと回路基板からなる発熱部に接するように、台座部から立ち上がる支柱を配置し、支柱を冷却部材として積極的に利用した画像表示装置が知られている（特許文献１）。
【０００４】
また、ＬＥＤを用いたサイドエッジライト型の液晶表示装置において、ＬＥＤが搭載される基板の面積を導光板の入光面の面積よりも大きくして放熱性の向上を図るようにしたもの（特許文献２）や、ＬＥＤを搭載した基板を導光板の側面被覆部材に接触させて放熱性の向上を図るようにしたもの（特許文献３）も知られている。
【先行技術文献】
【特許文献】
【０００５】
【特許文献１】特開２０１０−１４９５７号公報
【特許文献２】特開２００８−２９８９０５号公報
【特許文献３】特開２００８−１６６２００号公報
【発明の概要】
【発明が解決しようとする課題】
【０００６】
しかしながら、図３に示す従来のサイドエッジライト型の液晶表示装置は、ＬＥＤ３ｂから出る熱がリアフレーム１の左右両側部分、即ち、左右の側板１ａ，１ａと背板１ｂの左右両側部から放熱されるだけであり、スタンド４の２本の支柱４ａ，４ａはリアフレーム１の背板１ｂの中央部に固定されていて放熱には実質的に寄与しないため、放熱効率が充分とは言い難く、それ故、ＬＥＤ３ｂが比較的短期間で熱劣化して発光効率の低下や輝度の低下を招く恐れがあった。
【０００７】
これに対し、前記特許文献１の画像表示装置は、台座部から立ち上がる支柱を冷却部材として利用するものではあるが、ＬＥＤを用いたサイドエッジライト型の液晶表示装置ではないので、サイドエッジライト型の液晶表示装置において支柱を冷却部材として具体的にどのように利用するのかが不明であり、また、前記特許文献２，３の表示装置は、スタンドの支柱を放熱部材として利用するものではない。
【０００８】
本発明は上記事情の下になされたもので、その解決しようとする課題は、リアフレームとスタンドの支柱を有効に利用してＬＥＤから発生する熱の放熱効率を高め、ＬＥＤの熱劣化に伴う発光効率の低下や輝度の低下を抑えるようにした、サイドエッジライト型の液晶表示装置を提供することにある。
【課題を解決するための手段】
【０００９】
上記課題を解決するため、本発明に係るサイドエッジライト型の液晶表示装置は、熱伝導性のリアフレームの内部に収容した導光板の前面側に液晶表示パネルを配設し、細長い熱伝導性の配線基板に複数個のＬＥＤを搭載したＬＥＤバーを、導光板の左右の側面とリアフレームの左右の側板の内面との間に配置して、ＬＥＤバーの配線基板をリアフレームの左右の側板の内面に接触させて固定すると共に、スタンドの左右の熱伝導性の支柱をリアフレームの左右両側部分の外面に接触させて固定したことを特徴とするものである。
【００１０】
本発明のサイドエッジライト型の液晶表示装置においては、スタンドの左右の支柱をリアフレームの左右の側板の外面に接触させて固定することが好ましい。そして、ＬＥＤバーの配線基板とリアフレームの側板とスタンドの支柱をビスで共締め固定することが好ましい。また、スタンドの左右の支柱の上端とリアフレームの上端が同じ高さ、もしくは、スタンドの左右の支柱の上端の方がリアフレームの上端よりも少し低い高さとなっていることが好ましい。
【発明の効果】
【００１１】
本発明に係るサイドエッジライト型の液晶表示装置のように、ＬＥＤバーの配線基板をリアフレームの左右の側板の内面に接触させて固定すると共に、スタンドの左右の支柱をリアフレームの左右両側部分の外面に接触させて固定してあると、ＬＥＤバーの配線基板、リアフレーム、スタンドの支柱がいずれも熱伝導性を有するので、ＬＥＤから発生した熱が配線基板を通ってリアフレームの左右両側部分（左右の側板と背板の左右両側部）に伝導し、その熱の一部が更にリアフレームの背板の中間部に向かって伝導しつつ背板から放熱される一方、熱の残部が更にスタンドの支柱を伝導して放熱されることになる。このように、本発明の液晶表示装置では、ＬＥＤから出た熱が二つの放熱経路を伝導して放熱されるため、放熱効率が大幅に向上し、ＬＥＤの熱劣化に伴う発光効率の低下や輝度の低下を抑えることができる。
【００１２】
スタンドの支柱を接触させて固定する箇所は、リアフレームの左右両側部分であれば、左右の側板でも背板の左右両側部でもよいが、リアフレームの左右の側板にスタンドの支柱を接触させて固定する場合は、ＬＥＤで発生した熱がスタンドの支柱に伝導するまでの伝導距離が最短となるので、熱が速やかに支柱に伝導して効率良く放熱される利点がある。しかも、ＬＥＤバーの配線基板とリアフレームの側板とスタンドの支柱をビスで共締め固定できるので、ＬＥＤバーや支柱の固定作業が簡便になり、固定用のビスの数を少なくしてコストダウンを図ることも可能となる。
【００１３】
また、スタンドの左右の支柱の上端とリアフレームの上端を同じ高さとするか、もしくは、スタンドの左右の支柱の上端をリアフレームの上端よりも少し低い高さとしたものは、リアフレームの左右両側部分の上下方向ほぼ全長に亘って支柱が接触することになるので、支柱の接触面積が大きくなり、支柱への熱伝導効率が一層向上することになる。
【図面の簡単な説明】
【００１４】
【図１】本発明の一実施形態に係るサイドエッジライト型の液晶表示装置を一部破断して示す背面図である。
【図２】同液晶表示装置の放熱経路を示す背面図である。
【図３】従来のサイドエッジライト型の液晶表示装置を一部破断して示す背面図である。
【図４】同従来の液晶表示装置の放熱経路を示す背面図である。
【発明を実施するための形態】
【００１５】
以下、図面を参照して、本発明に係るサイドエッジライト型の液晶表示装置の実施形態について説明する。
【００１６】
図１，図２に示すサイドエッジライト型の液晶表示装置１０は、薄型の液晶テレビなどのキャビネット１１に組み込まれるものであって、１は良好な熱伝導性を有する板金製のリアフレームを示しており、このリアフレーム１の内部には、優れた透明性を有する合成樹脂製の導光板２が収容されている。
【００１７】
導光板２の左右の側面とリアフレーム１の左右の側板１ａ，１ａの内面との間には、ＬＥＤバー３，３がそれぞれ配置されている。このＬＥＤバー３は、熱伝導性を有する細長い配線基板３ａ（単層基板）に、白色発光する複数個のＬＥＤ（発光ダイオード）３ｂを一定間隔をあけて搭載したものであって、放熱効率を向上させる観点から、熱伝導性が良好なアルミニウム等の金属製の配線基板３ａにＬＥＤ３ｂを搭載したＬＥＤバー３が好ましく使用される。それぞれのＬＥＤバー３は、ＬＥＤ３ｂを導光板２の左右の側面に僅かの隙間を残して対向させると共に、配線基板３ａの反対面をリアフレーム１の左右の側板１ａ，１ａの内面に面接触させ、後述するようにビス５で共締め固定している。
【００１８】
上記導光板２の前面側（正面側）には、光拡散シートなどの光学シート（図１には表れていない）を介して液晶パネル（図１には表れていない）が配設されており、また、導光板２の背面には光反射層が形成されている。従って、ＬＥＤバー３の各ＬＥＤ３ａが発光すると、その光が導光板２の左右の側面から導光板２に入射して導光板２が面発光し、導光板２の前面から出射した光が光学シート（光拡散シート）で拡散されて、液晶パネルを背後から均一に照射するため、輝度ムラのない液晶表示が行われるようになっている。その際、導光板２の背面から出射しようとする光は、背面の光反射層によって前面側へ反射され、液晶パネルの照明に有効に利用されるので無駄がない。
尚、導光板２の背面の光反射層に代えて、光反射シートを導光板２の背面とリアフレーム１の背板１ｂとの間に配設するようにしても勿論よい。
【００１９】
このサイドエッジライト型の液晶表示装置は、従来の液晶表示装置と異なり、スタンド４の良好な熱伝導性を有する金属製の支柱４ａ，４ａの間隔が拡大されて、左右の支柱４ａ，４ａがリアフレーム１の左右の側板１ａ，１ａの外面に面接触し、複数本のビス５によって、支柱４ａと側板１ａとＬＥＤバー３の配線基板３ａが共締め固定されている。そして、支柱４ａの上端とリアフレーム１の上端が同じ高さ、もしくは、支柱４ａの上端の方がリアフレーム１の上端よりも少し低い高さとされている。
【００２０】
支柱４ａやＬＥＤバー３の配線基板３ａは、ビスで個別にリアフレーム１の側板１ａに固定してもよいが、上記のように支柱４ａと側板１ａとＬＥＤバー３の配線基板３ａをビス５で共締め固定すると、ＬＥＤバー３の配線基板３ａやスタンド４の支柱４ａの固定作業が簡便になり、固定用のビスの数を少なくしてコストダウンを図ることができるという利点があるので好ましい。
【００２１】
また、上記のようにスタンド４の左右の支柱４ａ，４ａの上端とリアフレーム１の上端が同じ高さ、もしくは、スタンド４の左右の支柱４ａ，４ａの上端の方がリアフレーム１の上端よりも少し低い高さになっていると、リアフレーム１の左右の側板１ａ，１ａの上下方向ほぼ全長に亘って支柱４ａ，４ａが接触することになるので、支柱４ａ，４ａの接触面積が大きくなり、支柱４ａ，４ａへの熱伝導効率が一層向上する利点があるので好ましい。
【００２２】
上述したサイドエッジライト型の液晶表示装置１０のように、ＬＥＤバー３の配線基板３ａとスタンド４の左右の支柱４ａ，４ａを、リアフレーム１の左右の側板１ａ，１ａの内面と外面に接触させて、ビス５で共締め固定してあると、ＬＥＤバー３の配線基板３ａ、リアフレーム１、スタンドの支柱４ａがいずれも良好な熱伝導性を有するので、ＬＥＤ３ｂから発生した熱が配線基板３ａを通ってリアフレーム１の側板１ａに伝導し、その熱の一部が図２に矢印Ｘで示すようにリアフレーム１の背板１ｂの中間部に向かって更に伝導しつつ背板１ｂから放熱される一方、熱の残部が図２に矢印Ｙで示すようにスタンドの支柱４ａを更に伝導して放熱されることになる。このように、本実施形態のサイドエッジライト型の液晶表示装置１０では、ＬＥＤ３ｂから出た熱が二つの放熱経路、即ち、矢印Ｘで示される放熱経路と矢印Ｙで示される放熱経路を伝導して放熱されるため、放熱効率が大幅に向上し、ＬＥＤ３ｂの熱劣化に伴う発光効率の低下や輝度の低下を抑えることができる。
【００２３】
スタンド４の支柱４ａを接触させて固定する箇所は、リアフレーム１の左右両側部分、即ち、左右の側板１ａ，１ａでも背板１ｂの左右両側部でもよいが、本実施形態の液晶表示装置１０のようにリアフレーム１の左右の側板１ａ，１ａにスタンド４の支柱４ａ，４ａを接触させて固定する場合は、ＬＥＤ３ｂで発生した熱がスタンド４の支柱４ａに伝導するまでの伝導距離が最短になるので、熱が速やかに支柱４ａに伝導して効率良く放熱される利点があり、しかも、上記のようにＬＥＤバー３の配線基板３ａとリアフレーム１の側板１ａとスタンド４の支柱４ａをビス５で共締め固定できるため、ＬＥＤバー３や支柱４ａの固定作業が簡便になり、固定用のビスの数を少なくしてコストダウンを図れる利点もあるので好ましい。
【符号の説明】
【００２４】
１    リアフレーム
１ａ  リアフレームの左右の側板
１ｂ  リアフレームの背板
２    導光板
３    ＬＥＤバー
３ａ  ＬＥＤバーの配線基板
３ｂ  ＬＥＤ
４    スタンド
４ａ  スタンドの左右の支柱
５    ビス
【図１】
2012155237.tif 000003
【図２】
2012155237.tif 000004
【図３】
2012155237.tif 000005
【図４】
2012155237.tif 000006
【手続補正書】
【提出日】平成23年3月10日(2011.3.10)
【手続補正１】
【補正対象書類名】明細書
【補正対象項目名】０００９
【補正方法】変更
【補正の内容】
【０００９】
上記課題を解決するため、本発明に係るサイドエッジライト型の液晶表示装置は、熱伝
導性のリアフレームの内部に収容した導光板の前面側に液晶表示パネルを配設し、細長い
熱伝導性の配線基板に複数個のＬＥＤを搭載したＬＥＤバーを、導光板の左及び又は右の側面とリアフレームの左及び又は右の側板の内面との間に配置して、ＬＥＤバーの配線基板をリアフレームの左及び又は右の側板の内面に接触させて固定すると共に、スタンドの左右の熱伝導性の支柱をリアフレームの左右両側部分の外面に接触させて固定したことを特徴とするものである。
【手続補正２】
【補正対象書類名】明細書
【補正対象項目名】００１１
【補正方法】変更
【補正の内容】
【００１１】
本発明に係るサイドエッジライト型の液晶表示装置のように、ＬＥＤバーの配線基板をリアフレームの左及び又は右の側板の内面に接触させて固定すると共に、スタンドの左右の支柱をリアフレームの左右両側部分の外面に接触させて固定してあると、ＬＥＤバーの配線基板、リアフレーム、スタンドの支柱がいずれも熱伝導性を有するので、ＬＥＤから発生した熱が配線基板を通ってリアフレームの左及び又は右部分（左及び又は右の側板と背板の左及び又は右部）に伝導し、その熱の一部が更にリアフレームの背板の中間部に向かって伝導しつつ背板から放熱される一方、熱の残部が更にスタンドの支柱を伝導して放熱されることになる。このように、本発明の液晶表示装置では、ＬＥＤから出た熱が二つの放熱経路を伝導して放熱されるため、放熱効率が大幅に向上し、ＬＥＤの熱劣化に伴う発光効率の低下や輝度の低下を抑えることができる。
【手続補正３】
【補正対象書類名】特許請求の範囲
【補正対象項目名】請求項１
【補正方法】変更
【補正の内容】
【請求項１】
熱伝導性のリアフレームの内部に収容した導光板の前面側に液晶表示パネルを配設し、細長い熱伝導性の配線基板に複数個のＬＥＤを搭載したＬＥＤバーを、導光板の左及び又は右の側面とリアフレームの左及び又は右の側板の内面との間に配置して、ＬＥＤバーの配線基板をリアフレームの左及び又は右の側板の内面に接触させて固定すると共に、スタンドの左右の熱伝導性の支柱をリアフレームの左右両側部分の外面に接触させて固定したことを特徴とするサイドエッジライト型の液晶表示装置。